(57)【要約】不織布を製造する際に、不織繊維ウェブを形成・搬送するために、無端状布ベルトの形態のまま使用する工業用布には、ウェブ支持面がある。その面には粗面糸があり、この糸が、ウェブ支持面上での、不織繊維ウェブの移動、すなわち、すべりを防止する。この粗面糸が、このウェブ支持面上において、一つまたは二つの方向に、即ち、長手方向及び／又は横方向に、長い浮糸となることが好ましい。【特許請求の範囲】
【請求項１】
不織繊維ウェブで不織布を製造するに際して、該不織繊維ウェブを形成・搬送するために無端状布ベルトの形態で使用される多様な工業用布であって、経糸と緯糸で織ったものであり、且つ、ウェブ支持面を有する工業用布において、
前記工業用布の前記ウェブ支持面上における前記経糸および前記緯糸の一方の少なくとも数本が粗面糸であり、
その際に前記ウェブ支持面にのせて搬送される前記不織繊維ウェブが前記ウェブ支持面上で移動しないこと
を特徴とする工業用布。
【請求項２】
前記粗面糸が溝付きモノフィラメントであり、その面に沿って走る縦チャンネルを複数本有している請求項１に記載の工業用布。
【請求項３】
前記溝付きモノフィラメントが、前記チャンネルを除いて、円形、卵形、長円形、正方形、長方形の形状からなる群より選択される断面形を有する請求項２に記載の工業用布。
【請求項４】
前記円形断面を有する溝付きモノフィラメントの前記チャンネルの深さが、前記粗面糸の直径の５％〜２５％である請求項３に記載の工業用布。
【請求項５】
前記溝付きモノフィラメントが、ポリエチレン・テレフタレート（ＰＥＴ）；ポリブチレン・テレフタレート（ＰＢＴ）；ポリシクロヘキサンジメチレン・テレフタール酸（ＰＣＴＡ）；ＰＡ  ６、ＰＡ  ６，６、ＰＡ  ６，１０、ＰＡ  ６，１２およびこれらのコポリマーのようなポリアミド；ポリエチレン・ナフタレート（ＰＥＮ）；ポリフェニレン・サルファイド（ＰＰＳ）；およびポリエーテルエーテルケトン（ＰＥＥＫ）；およびこれらの混合物からなる群より選択される合成樹脂材料を押出成形したものである請求項２に記載の工業用布。
【請求項６】
前記溝付きモノフィラメントが、静電気蓄積を防止する能力に長けている請求項５に記載の工業用布。
【請求項７】
前記溝付きモノフィラメントの単位長さ当りの抵抗が１０１０オーム／ｃｍより小さい請求項５に記載の工業用布。
【請求項８】
前記溝付きモノフィラメントが、改良された導電特性を付与する材料から構成される外層を有している請求項５に記載の工業用布。
【請求項９】
前記外層の前記材料には金属材料、カーボン・ブラック材料および固有の導電性高分子材料からなる群より選択される材料が含まれている請求項８に記載の工業用布。
【請求項１０】
前記溝付きモノフィラメントが、ステンレス・スチール線、真鍮線、青銅線、および鉄−ニッケル合金線からなる群より選択される金属線から構成されている請求項２に記載の工業用布。
【請求項１１】
前記粗面糸が複数本のフィラメントから成るマルチストランド糸である請求項１に記載の工業用布。
【請求項１２】
前記フィラメントを３本以上寄り合わせている請求項１１に記載の工業用布。
【請求項１３】
前記フィラメントを２本ずつ編んでいる請求項１１に記載の工業用布。
【請求項１４】
前記フィラメントが、ポリエチレン・テレフタレート（ＰＥＴ）；ポリブチレン・テレフタレート（ＰＢＴ）；ポリシクロヘキサンジメチレン・テレフタール酸（ＰＣＴＡ）；ＰＡ  ６、ＰＡ  ６，６、ＰＡ  ６，１０、ＰＡ  ６，１２およびこれらのコポリマーのようなポリアミド；ポリエチレン・ナフタレート（ＰＥＮ）；ポリフェニレン・サルファイド（ＰＰＳ）；およびポリエーテルエーテルケトン（ＰＥＥＫ）；およびこれらの混合物からなる群より選択される合成樹脂材料を押出成形したものである請求項１１に記載の工業用布。
【請求項１５】
前記フィラメントが、静電気蓄積を防止する能力に長けている請求項１４に記載の工業用布。
【請求項１６】
前記フィラメントの単位長さ当りの抵抗が１０１０オーム／ｃｍより小さい請求項１４に記載の工業用布。
【請求項１７】
前記フィラメントが、改良された導電特性を付与する材料から構成される外層を有している請求項１４に記載の工業用布。
【請求項１８】
前記外層の前記材料には金属材料、カーボン・ブラック材料および固有の導電性高分子材料からなる群より選択される材料が含まれている請求項１７に記載の工業用布。
【請求項１９】
前記フィラメントが、ステンレス・スチール線、真鍮線、青銅線、および鉄−ニッケル合金線からなる群より選択される金属線から構成されている請求項１１に記載の工業用布。
【請求項２０】
前記工業用布の前記ウェブ支持面上における前記経糸および前記緯糸の双方の少なくとも数本が前記粗面糸である請求項１に記載の工業用布。
【請求項２１】
前記工業用布の前記ウェブ支持面上における前記経糸および前記緯糸の一方のすべてが前記粗面糸である請求項１に記載の工業用布。
【請求項２２】
前記工業用布の前記ウェブ支持面上における前記経糸および前記緯糸の双方のすべてが前記粗面糸である請求項１に記載の工業用布。
【請求項２３】
前記粗面糸の少なくとも数本が前記布の前記ウェブ支持面上にて長い浮糸の状態にある請求項１に記載の工業用布。
【請求項２４】
前記経糸および前記緯糸が単層織で織られている請求項１に記載の工業用布。
【請求項２５】
前記経糸および前記緯糸が二重層織で織られている請求項１に記載の工業用布。
【請求項２６】
前記経糸および前記緯糸が三重層織で織られている請求項１に記載の工業用布。
【発明の詳細な説明】
【技術分野】
【０００１】
［０００１］  本発明は不織布の製造に関する。更に詳しくは、本発明は、無端状布ベルトに関する。不織布の製造に際して、そのベルト上にて不織布が形成され及び／又は搬送される。
【背景技術】
【０００２】
［０００２］  不織布の生産方法は業界では公知である。従来型の紡ぐ操作、織る操作又は編む操作を除外して、かかる布を繊維から直に生産する。或いは、スピン・ボンデング法またはメルト・ブローイング法でかかる布を生産してもよい。押出成形後、まだ熱く、べとつく状態のまま、新たに押出成形された繊維をこれらの方法で横たえ、ウェブを形成する。その際に、その繊維が３本以上固着しあい、完全なウェブができる。
【０００３】
［０００３］  不織布は、エア・レイイング操作またはエア・カーデング操作によっても生産できる。そこでは繊維ウェブは、ニードリングまたは水交絡により、堆積し、次いでまとまり、不織布となる。後者の場合、高圧水ジェットがウェブ上に直下方向に向かい、繊維同士をからませる。ニードリングでは、顎付き針の往復運動するベッドを用いてそのからみ合いを機械的に達成する。その針が入る際に、その針が強制的にウェブ面上の繊維を内部へ入れる。
【０００４】
［０００４］  無端状布ベルトはこのプロセスでは重要な役割を担う。一般に、不織布製造プロセスの中で、温度条件によりプラスチック製モノフィラメントを用いることが実際的でなくまたは不可能である場合、プラスチック製モノフィラメントに代わりに、金属線を用いてよいにも関わらず、これらのベルトはプラスチック製モノフィラメントで織ってつくった微細網スクリーンの形態をとる。
【０００５】
［０００５］  通常は、プラスチック製モノフィラメントと金属線には滑らかな面がある。それゆえに、不織布製造プロセスで用いられる無端状布ベルトの面も滑らかである。係る面は大概の抄紙布にとり極めて望ましく、不織布の製造に際して、係る面が災いして、形成操作と搬送操作が不安定になる。その理由は、無端状布ベルトに対しての、製造する不織布のすべりまたは移動が、機械方向または機械横断方向の一方において、またはこれらの二つの方向において、起こりうるからである。
【発明の開示】
【発明が解決しようとする課題】
【０００６】
［０００６］  本発明は、粗面度と目のざらざらした織りをもつ無端状布ベルトの形態をとりつつ、この問題に対する解決策を提供し、そのベルトに対しての、その不織布の移動またはすべりを防止しようとするものである。
【課題を解決するための手段】
【０００７】
［０００７］  従って、本発明は、不織繊維ウェブで不織布を製造するに際して、該不織繊維ウェブを形成し搬送するために無端状布ベルトの形態をとったまま用いられる、種々の工業用布の改良である。その工業用布は経糸と緯糸で織ったものであり、ウェブ支持面をもっている。
【０００８】
［０００８］  その改良は、工業用布のウェブ支持面上にある経糸と緯糸の一方の少なくとも数本が粗面糸(rough-surface yarns)であることにある。その粗面糸は、ウェブ支持面上を搬送される不織繊維ウェブがその面に対して移動するのを防止するものである。その粗面糸はその工業用布のウェブ支持面上において一つまたは二つの方向にあり、その糸の数本かまたはすべてが例の方向または二つの方向にあってよい。好ましくは、粗面糸の少なくとも数本は、工業用布のウェブ支持面上において長い浮糸の状態にある。
【０００９】
［０００９］  その粗面糸は溝付きのモノフィラメント糸またはマルチストランド糸であってよいが、後者はフィラメントを３本以上寄り合わせた糸またはフィラメントを２本ずつ編んだ糸である。これらの糸の粗面は種々の工業用布で慣用されるモノフィラメント糸の滑らかな面とは異なり、その工業用布に独特の粗面または目のざらざらした織りを付与するものである。そのためにその工業用布ですべりを防止して不織繊維ウェブを搬送することができる。一方、空気透過性やウェブ引き離しのような好ましい特徴に対する影響は最小限に抑えられる。
【発明を実施するための最良の形態】
【００１０】
［００１０］  本発明は、以下において、図面を頻繁に参照しつつ、より詳細に記述されよう。
【００１１】
［００１７］  特に図１〜６に言及するが、図１は、本発明に係る工業用布１０のウェブ支持面１２の平面図である。そこに描かれているように、工業用布１０は、５枚朱子織において経糸１４と緯糸１６で織ってつくった単層布である。その織のお陰で、織模様が繰り返されるたびに、緯糸１６が連続して４本の経糸１４の上を通過し、また、１本の経糸１４の下を通過するので、横方向に長い浮糸が生じている。ウェブ支持面１２の上では、緯の浮糸１８が、面１２の領域の大半を占め、構成している。
【００１２】
［００１８］  緯糸１６は溝付き糸であり、図１において、長手方向に沿って走る細い線２０で示されている。”溝付き糸”なる用語の意味は以下においてより詳しく議論されよう。ここでは、緯糸１６は溝付き糸であり、粗面を有すること、また、この粗面のお陰で、その面に対しての、布１０が搬送する不織繊維ウェブによるすべりの可能性が減少することを述べれば十分である。より詳しくは、図１に示すように、経糸１４は装置の機械方向に配向しており、その工業用布１０は、平織りされ、次いで継目で接合して無端状になり、その装置上で無端状ベルトの形態をとったまま使用される。緯糸１６はその機械の機械横断方向に配向している。粗面ゆえに、その緯糸は、布１０の機械方向すなわち走行方向において、のせて搬送する不織繊維ウェブのすべりを防止する。
【００１３】
［００１９］  当業者にとって明らかなことは、布１０が別の方法により５枚(5-shed)朱子織で織られること、また、この織のお陰で、縦方向において長い浮糸が生じることであろう。係る状況において、経糸１４は溝付き糸であり、その織模様が繰り返されるたびに、連続した４本の緯糸１６の上を通過し、また、１本の緯糸１６の下を通過する。図１に示すような布１０と比べて、経の浮糸はその布のウェブ支持面１２の領域の大半を占め、構成する。結果として、経糸１４は溝付き糸であり、また、機械方向に配向し、布１０の機械横断方向すなわち横方向において、のせて搬送する不織繊維ウェブのすべりを防止する。
【００１４】
［００２０］  本発明の他の態様において、図２に示すように、すなわち、他の工業用布３０のウェブ支持面３２の平面図において、布３０は、同様に、経糸３４と緯糸３６で織って作った単層布であり、その際の織では経糸方向と緯糸方向の双方において長い浮糸が生じる。示された特殊な織では、経の浮糸３８が形成されるのは、経糸３４が連続した２本以上の緯糸３６の上を通過する個所であり、緯の浮糸４０が形成されるのは、緯糸３６が連続した２本以上の経糸３４の上を通過する個所である。
【００１５】
［００２１］  経糸３４と緯糸３６の双方が溝付き糸であり、図２において長手方向に沿って走る細い線４２で示されている。これらの糸には粗面があり、その面に対しての、布３０が搬送する不織繊維ウェブによるすべりの可能性が減少する。図２に示すように、経糸３４は装置の機械方向に配向し、緯糸３６はその装置の機械横断方向に配向する。その工業用布３０は、平織りされ、継目で接合され無端状の形態をとり、無端状ベルトの形態でその装置上で使用される。経糸３４と緯糸３６の双方、または、特には、経の浮糸３８と緯の浮糸４０が、ウェブ支持面３２上を搬送される不織繊維ウェブのすべりを防止し、経の浮糸３８が機械横断方向のすべりを防止し、また、緯の浮糸４０が機械方向のすべりを防止する。
【００１６】
［００２２］  図１と図２は、本発明により改良された、工業用布の、特殊な単層織を示している。一方、本発明は図示された織模様をもつ布に限定されないことが判明しよう。換言すれば、本発明の工業用布は、当業者に公知の、また、当業者が使用する、単層、二重層また三重層織模様のいずれかの模様で織ってもよい。しかしながら、すべての、ありうる実施態様において、溝付き糸または後述される代替物が、工業用布のウェブ支持面に織り合わされ、好ましくは、長い浮糸が機械方向、機械横断方向のいずれか一方に、または双方に存在するように、織り合わされよう。
【００１７】
［００２３］  溝付き糸自体に戻れば、その溝付き糸の好ましい形態は図３と図４に示されている。このうち最初の図形、つまり、溝付きモノフィラメント糸５０の平面図では、平行な溝すなわちチャンネル５２がモノフィラメント糸５０の表面に沿って長手方向に走っている。図３の線４−４のごとく切り取った、図４の断面図に示すように、チャンネル５２の断面は半円形であるが、本発明の範囲から逸脱することなく、チャンネル５２の形状は他の形であってもよい。好ましくは、チャンネル５２の深さはモノフィラメント糸５０の直径の５％〜２５％である。
【００１８】
［００２４］  モノフィラメント糸５０の断面は図４のごとく円形であるが、卵形、または長円形、正方形、または長方形であってもよい。
【００１９】
［００２５］  本発明のすべり防止効果を達成するために、溝付きモノフィラメントを用いずに、当然のことながら、モノフィラメントよりは粗い面を有する、寄り合わせフィラメント糸または編みフィラメント糸を、溝付きモノフィラメントの代わりに使用してもよい。図５は寄り合わせフィラメント糸６０の平面図であり、図６は、図５の線６−６のごとく切り取った、寄り合わせフィラメント糸６０の断面図である。寄り合わせフィラメント糸６０は、寄り合わせた、８本のフィラメント６２から構成されるが、その寄り合わせフィラメント糸６０は図５に示すものに限定すべきではない。
【００２０】
［００２６］  いずれにしても、溝付きモノフィラメント、すなわち、寄り合わせ糸または編み糸を構成する個々のフィラメントは、抄紙布または工業用布に用いる糸を作るために当業者が用いる高分子樹脂材料のいずれかを押出成形して生産してもよい。この材料には、ポリエチレン・テレフタレート（ＰＥＴ）；ポリブチレン・テレフタレート（ＰＢＴ）；ポリシクロヘキサンジメチレン・テレフタール酸（ＰＣＴＡ）；ＰＡ  ６、ＰＡ  ６，６、ＰＡ  ６，１０、ＰＡ  ６，１２およびこれらのコポリマーのようなポリアミド；ポリエチレン・ナフタレート（ＰＥＮ）；ポリフェニレン・サルファイド（ＰＰＳ）；およびポリエーテルエーテルケトン（ＰＥＥＫ）がある。これらの高分子樹脂材料の混合物、被覆または表面修飾品も使用してよい。特に静電気蓄積を防止する能力に長けているものを使用してよい。
【００２１】
［００２７］  例えば、溝付きモノフィラメント、すなわち、寄り合わせ糸または編み糸を構成する個々のフィラメントは、鞘／芯または表面被覆製品として生産してよい。その際に、鞘または表面被膜は静電気蓄積防止性または導電性を呈し、その特性により溝付きモノフィラメントまたは各フィラメントの単位長さ当りの抵抗が１０１０オーム／ｃｍより小さくなる。その鞘または表面被膜は、金属材料、カーボン・ブラック材料または固有の導電性高分子材料から、各種の標準的な方法を用いて、製造してよい。その結果として、溝付きモノフィラメントまたはフィラメントの導電性が改良される。
【００２２】
［００２８］  この溝付きモノフィラメントは、適当な形の開口をもつダイを貫いて押出成形して、作ってよい。そのモノフィラメントは共押出法で作ってよい。その方法では、そのモノフィラメントは適当な形の開口をもつダイを貫いて押出成形され、同時に溶媒除去可能な材料で被覆される。後者の材料は、その工業用布を織った後で除去してよい。その結果として、モノフィラメントの表面に平行な細い筋が現れる。
【００２３】
［００２９］  その溝付きモノフィラメント、すなわち、ない合わせ糸を構成する個々のフィラメントは、金属線で置き換えてもよい。この目的のために、ステンレス・スチール、真鍮、青銅およびインバール（Invar  登録商標）、鉄とニッケルの合金を使用してよい。
【００２４】
［００３０］  当業者にとって本発明の修正は自明であろうが、添付された請求の範囲を超える修正は認められない。
【図面の簡単な説明】
【００２５】
【図１】［００１１］  本発明に従って改良された、工業用布のウェブ支持面の平面図である。
【図２】［００１２］  他の改良された態様の平面図である。
【図３】［００１３］  溝付きモノフィラメント糸の平面図である。
【図４】［００１４］  図３の線４−４のごとく切り取った断面図である。
【図５】［００１５］  寄り合わせたフィラメント糸の平面図である。
【図６】［００１６］  図５の線６−６のごとく切り取った断面図である。
【符号の説明】
【００２６】
１０    工業用布
１２    ウェブ支持面
１４    経糸
１６    緯糸
１８    緯の浮糸
３０    工業用布
３２    ウェブ支持面
３４    経糸
３６    緯糸
３８    経の浮糸
４０    緯の浮糸
５０    モノフィラメント糸
５２    チャンネル
６０    寄り合わせフィラメント糸
６２    フィラメント糸
【国際公開パンフレット】
2005505700.tif 000002
2005505700.tif 000003
2005505700.tif 000004
2005505700.tif 000005
2005505700.tif 000006
2005505700.tif 000007
2005505700.tif 000008
2005505700.tif 000009
2005505700.tif 000010
2005505700.tif 000011
2005505700.tif 000012
2005505700.tif 000013
2005505700.tif 000014
2005505700.tif 000015
2005505700.tif 000016
2005505700.tif 000017
2005505700.tif 000018
2005505700.tif 000019
2005505700.tif 000020
【国際調査報告】
2005505700.tif 000021
2005505700.tif 000022
2005505700.tif 000023